(57)【特許請求の範囲】
【請求項１】
トラックの後端部付近に配置されるとともに、前記トラックのシャシフレームの車両上下方向下方に配置されるブレーキチャンバと、
前記ブレーキチャンバの少なくとも車両前後方向後方を覆うチャンバプロテクタと、を備え、
前記チャンバプロテクタは、前記シャシフレームが車両上下方向下方に沈み込む際に、前記ブレーキチャンバよりも先に前記シャシフレームに当接する、
ブレーキチャンバ保護構造。
【請求項２】
前記シャシフレームが車両上下方向下方に沈み込む際の前記シャシフレームと前記ブレーキチャンバとの相対的な移動方向において、前記チャンバプロテクタの前記シャシフレーム側の先端は、前記ブレーキチャンバの前記シャシフレーム側の先端よりも前記シャシフレーム側に位置する、
請求項１に記載のブレーキチャンバ保護構造。
【請求項３】
前記チャンバプロテクタは、前記ブレーキチャンバの車両上下方向下方に形成された開口を有する、
請求項１又は２に記載のブレーキチャンバ保護構造。
【請求項４】
前記トラックのリアブレーキから延びて前記ブレーキチャンバが固定されるチャンバブラケットを更に備え、
前記チャンバプロテクタは、前記チャンバブラケットに固定される、
請求項１〜３の何れか一項に記載のブレーキチャンバ保護構造。
【発明の詳細な説明】
【技術分野】
【０００１】
本発明は、トラックのブレーキチャンバを保護するブレーキチャンバ保護構造に関する。
【背景技術】
【０００２】
トラックは、車輪を制動するためにエアブレーキシステムを搭載している。エアブレーキシステムでは、車輪の近傍に、圧縮されたエアが貯留されたブレーキチャンバが配置されている。そして、ドライバがブレーキペダルを踏むと、ブレーキチャンバからブレーキにエアが供給されることで、ブレーキに制動力が働く（例えば、特許文献１参照）。
【先行技術文献】
【特許文献】
【０００３】
【特許文献１】特開平号０６−０７２３１４公報
【発明の概要】
【発明が解決しようとする課題】
【０００４】
このようなトラックにおいては、後輪の近傍に空きスペースが少ないため、シャシフレームの車両上下方向下方にブレーキチャンバが配置される場合がある。このような場合、荷台に大量の土砂を一気に積載した際や、荷台に土砂を過積載した状態で急発進した際に、シャシフレームが沈み込んで、シャシフレームがブレーキチャンバに接触する可能性がある。
【０００５】
そこで、本発明は、シャシフレームがブレーキチャンバに接触するのを抑制することができるブレーキチャンバ保護構造を提供することを目的とする。
【課題を解決するための手段】
【０００６】
本発明者らは、このような問題について鋭意検討を行った。その結果、マイニング（鉱山）等で利用されるダンプトラックでは、後進時にブレーキチャンバが盛土に接触しないように、ブレーキチャンバの車両前後方向後方を覆うチャンバプロテクタが設けられる場合がある。そこで、このチャンバプロテクタを利用することで、シャシフレームがブレーキチャンバに接触するのを抑制できることを見出した。
【０００７】
すなわち、本発明に係るブレーキチャンバ保護構造は、トラックの後端部付近に配置されるとともに、トラックのシャシフレームの車両上下方向下方に配置されるブレーキチャンバと、ブレーキチャンバの少なくとも車両前後方向後方を覆うチャンバプロテクタと、を備え、チャンバプロテクタは、シャシフレームが車両上下方向下方に沈み込む際に、ブレーキチャンバよりも先にシャシフレームに当接する。
【０００８】
本発明に係るブレーキチャンバ保護構造では、ブレーキチャンバの少なくとも車両前後方向後方がチャンバプロテクタで覆われているため、後進時に盛土等からブレーキチャンバを保護することができる。そして、ブレーキチャンバがシャシフレームの車両上下方向下方に配置されているが、シャシフレームが車両上下方向下方に沈み込む際は、ブレーキチャンバよりも先にチャンバプロテクタがシャシフレームに当接する。このため、シャシフレームがブレーキチャンバに接触するのを抑制することができる。
【０００９】
この場合、シャシフレームが車両上下方向下方に沈み込む際のシャシフレームとブレーキチャンバとの相対的な移動方向において、チャンバプロテクタのシャシフレーム側の先端は、ブレーキチャンバのシャシフレーム側の先端よりもシャシフレーム側に位置することが好ましい。これにより、シャシフレームが車両上下方向下方に沈み込む際にチャンバプロテクタをブレーキチャンバよりも先にシャシフレームに当接させることができる。
【００１０】
また、チャンバプロテクタは、ブレーキチャンバの車両上下方向下方に形成された開口を有することが好ましい。このブレーキチャンバ保護構造では、チャンバプロテクタに流れ込んだ土砂は、チャンバプロテクタの開口から排出されるため、チャンバプロテクタ内に土砂が溜まるのを抑制することができる。
【００１１】
また、トラックのリアブレーキから延びてブレーキチャンバが固定されるチャンバブラケットを更に備え、チャンバプロテクタは、チャンバブラケットに固定されることが好ましい。このブレーキチャンバ保護構造では、チャンバプロテクタは、振動の激しいブレーキチャンバに直接固定されるのではなく、リアブレーキから延びるチャンバブラケットに固定されるため、チャンバプロテクタの固定強度を高めることができる。
【発明の効果】
【００１２】
本発明によれば、シャシフレームがブレーキチャンバに接触するのを抑制することができる。
【図面の簡単な説明】
【００１３】
【図１】本実施形態に係るブレーキチャンバ保護構造を示す概略側面図である。
【図２】本実施形態に係るブレーキチャンバ保護構造を示す概略斜視図である。
【図３】本実施形態に係るブレーキチャンバ保護構造を示す概略平面図である。
【図４】シャシフレームが車両上下方向下方に沈み込んだ状態を示す概略側面図である。
【発明を実施するための形態】
【００１４】
以下、本発明の好適な実施形態について、図面を参照して詳細に説明する。なお、各図において同一又は相当する要素については同一の符号を付し、重複する説明を省略する。また、以下の説明において、上下方向は、車両上下方向における上下方向を意味し、前後方向は、車両前後方向における前後方向を意味し、左右方向は、車幅方向における車両の左右方向を意味する。
【００１５】
図１は、本実施形態に係るブレーキチャンバ保護構造を示す概略側面図である。図２は、本実施形態に係るブレーキチャンバ保護構造を示す概略斜視図である。図３は、本実施形態に係るブレーキチャンバ保護構造を示す概略平面図である。図１〜図３に示すように、本実施形態に係るブレーキチャンバ保護構造１は、ブレーキチャンバ２と、チャンバブラケット３と、チャンバプロテクタ４と、を備える。
【００１６】
ブレーキチャンバ２は、リアタイヤ５に制動力を働かせるリアブレーキ６にエアを供給するエアチャンバである。なお、図２及び図３では、分かり易くするために、リアタイヤ５の図示を省略する。ブレーキチャンバ２は、内部にエアを貯留するために、車両平面視において略円形に形成されている。ブレーキチャンバ２は、トラックの後端部付近の、リアタイヤ５の近傍に配置される。また、ブレーキチャンバ２は、トラックのシャシフレーム７の車両上下方向下方に配置される。
【００１７】
シャシフレーム７は、車幅方向に並設されて車両前後方向に延びる一対の骨格部材である。シャシフレーム７は、サスペンション（不図示）を介して車軸に懸架されることで、車両上下方向に移動可能となっている。
【００１８】
チャンバブラケット３は、リアブレーキ６に対してブレーキチャンバ２を間接的に固定する部材である。チャンバブラケット３の一方端部は、リアブレーキ６に固定されている。チャンバブラケット３は、リアブレーキ６から車幅方向内側に延び、更に、車両前後方向後方かつ車両上下方向上側に湾曲しながら延びている。そして、ブレーキチャンバ２は、チャンバブラケット３の他方端部に載置されるとともに、車両上下方向下方からチャンバブラケット３の他方端部に固定されている。リアブレーキ６に対するチャンバブラケット３の固定、及びチャンバブラケット３に対するブレーキチャンバ２の固定は、例えば、ボルト締めにより行うことができる。
【００１９】
チャンバプロテクタ４は、トラックが後進した際に土盛などからブレーキチャンバ２を保護するために、ブレーキチャンバ２の少なくとも車両前後方向後方を覆う部材である。
【００２０】
チャンバプロテクタ４は、一枚の鋼板が略Ｕ字状に屈曲されてなる。そして、チャンバプロテクタ４は、車両平面視において車両前後方向前方に開口するＵ字状となるように、ブレーキチャンバ２を囲む位置に配置されている。具体的に説明すると、チャンバプロテクタ４は、ブレーキチャンバ２の車両前後方向後方に配置される後板部４１と、ブレーキチャンバ２の車幅方向右方に配置される右板部４２と、ブレーキチャンバ２の車幅方向左方に配置される左板部４３と、を備える。なお、後板部４１自体も、ブレーキチャンバ２の形状に沿うように、車幅方向両端部が車両前後方向後方に傾斜するように屈曲されている。
【００２１】
また、チャンバプロテクタ４は、ブレーキチャンバ２の車両上下方向下方に形成された開口４４を有する。つまり、チャンバプロテクタ４は、後板部４１、右板部４２及び左板部４３に囲まれる中央部分に、ブレーキチャンバ２が配置される空洞が形成されており、この空洞部分が、開口４４となっている。
【００２２】
また、チャンバプロテクタ４は、ブレーキチャンバ２に直接固定されることなく、リアブレーキ６から延びるチャンバブラケット３に固定されている。つまり、チャンバプロテクタ４は、チャンバブラケット３を介して、間接的にブレーキチャンバ２に固定されている。チャンバブラケット３に対するチャンバプロテクタ４の固定は、例えば、ボルト締めにより行うことができる。この場合、チャンバプロテクタ４の右板部４２及び左板部４３にボルトＢ用の貫通穴（不図示）を形成し、車幅方向において、当該貫通穴に貫通させたボルトＢをチャンバブラケット３に締結することが好ましい。これにより、チャンバプロテクタ４に入力される車両上下方向の荷重は、ボルトＢの剪断応力で受けることになるため、ボルトＢの径を太くすることで、チャンバプロテクタの剛性を容易に高めることができる。この場合、チャンバプロテクタ４の肉厚を厚くすることで、チャンバプロテクタの剛性を更に高めることができる。チャンバプロテクタ４の肉厚としては、例えば、３．５ｍｍ以上６ｍｍ以下とすることができる。
【００２３】
図４は、シャシフレームが車両上下方向下方に沈み込んだ状態を示す概略側面図である。図４に示すように、チャンバプロテクタ４は、シャシフレーム７が車両上下方向下方に沈み込む際に、ブレーキチャンバ２よりも先にシャシフレーム７に当接する。
【００２４】
具体的に説明すると、荷台に土砂を積載した際や、発進した際は、シャシフレーム７は、ブレーキチャンバ２に向けて車両上下方向下方に沈み込む。このとき、ワインドアップ等によるアクスルの捩れにより、ブレーキチャンバ２も、ブレーキチャンバ２に近づく方向に傾く場合もある。そこで、シャシフレーム７が車両上下方向下方に沈み込む際のシャシフレーム７とブレーキチャンバ２との相対的な移動方向において、チャンバプロテクタ４のシャシフレーム７側の先端を、ブレーキチャンバ２のシャシフレーム７側の先端よりもシャシフレーム７側の位置とする。この場合、例えば、後板部４１を車両上下方向に長くすることで、シャシフレーム７とブレーキチャンバ２との相対的な移動方向において、チャンバプロテクタ４のシャシフレーム７側の先端を、ブレーキチャンバ２のシャシフレーム７側の先端よりもシャシフレーム７側に位置させてもよい。
【００２５】
このように、本実施形態に係るブレーキチャンバ保護構造１では、ブレーキチャンバ２の少なくとも車両前後方向後方がチャンバプロテクタ４で覆われているため、後進時に盛土等からブレーキチャンバ２を保護することができる。そして、ブレーキチャンバ２がシャシフレーム７の車両上下方向下方に配置されているが、シャシフレーム７が車両上下方向下方に沈み込む際は、ブレーキチャンバ２よりも先にチャンバプロテクタ４がシャシフレーム７に当接する。このため、シャシフレーム７がブレーキチャンバ２に接触するのを抑制することができる。
【００２６】
また、シャシフレーム７が車両上下方向下方に沈み込む際のシャシフレーム７とブレーキチャンバ２との相対的な移動方向において、チャンバプロテクタ４のシャシフレーム７側の先端が、ブレーキチャンバ２のシャシフレーム７側の先端よりもシャシフレーム７側に位置するため、シャシフレーム７が車両上下方向下方に沈み込む際にチャンバプロテクタ４をブレーキチャンバ２よりも先にシャシフレーム７に当接させることができる。
【００２７】
また、チャンバプロテクタ４に流れ込んだ土砂は、チャンバプロテクタ４の開口４４から排出されるため、チャンバプロテクタ４内に土砂が溜まるのを抑制することができる。
【００２８】
また、チャンバプロテクタ４は、振動の激しいブレーキチャンバ２に直接固定されるのではなく、リアブレーキ６から延びるチャンバブラケット３に固定されるため、チャンバプロテクタ４の固定強度を高めることができる。
【００２９】
以上、本発明の好適な実施形態について説明したが、本発明は上記実施形態に限定されるものではない。
【００３０】
例えば、上記実施形態では、チャンバプロテクタ４は、ブレーキチャンバ２が固定されるチャンバブラケット３に固定されるものとして説明したが、リアブレーキ６に直接的に固定されてもよく、チャンバブラケット３とは別の部材に固定されてもよい。
【００３１】
また、上記実施形態では、チャンバプロテクタ４の具体的な形状について説明したが、チャンバプロテクタ４は、少なくとも車両前後方向後方を覆えば如何なる形状であってもよく、例えば、右板部４２及び左板部４３が無くてもよく、箱状であってもよい。
【符号の説明】
【００３２】
１…ブレーキチャンバ保護構造、２…ブレーキチャンバ、３…チャンバブラケット、４…チャンバプロテクタ、５…リアタイヤ、６…リアブレーキ、７…シャシフレーム、４１…後板部、４２…右板部、４３…左板部、４４…開口、Ｂ…ボルト。
【図１】
0006570949.tif 000002
【図２】
0006570949.tif 000003
【図３】
0006570949.tif 000004
【図４】
0006570949.tif 000005